(57)【要約】【課題】  ３Ｄ眼鏡の動作モードに対応する同期信号を出力することができ、ユーザが、所望の３Ｄ眼鏡を用いて３Ｄ映像を見ることができるディスプレイ装置及びその駆動方法を提供する。【解決手段】  左眼映像及び右眼映像を含む映像信号を受信する信号受信部と、信号受信部に受信される映像信号を処理する信号処理部と、信号処理部により処理される映像信号に基づいて３Ｄ映像を表示するディスプレイ部と、３Ｄ眼鏡の動作モードに関するユーザの入力を受信するユーザ入力部と、３Ｄ眼鏡の左眼シャッター部及び右眼シャッター部を左眼映像及び右眼映像にそれぞれ対応して開閉させるための同期信号を出力する同期信号出力部と、受信したユーザの入力に基づく３Ｄ眼鏡の動作モードに対応する同期信号を出力するように同期信号出力部を制御する制御部とを含む。【選択図】      図１
2011182382.tif 000002
【特許請求の範囲】
【請求項１】
左眼シャッター部及び右眼シャッター部を含むシャッター方式の３Ｄ眼鏡を用いるディスプレイ装置であって、
左眼映像及び右眼映像を含む映像信号を受信する信号受信部と、
前記信号受信部に受信される映像信号を処理する信号処理部と、
前記信号処理部により処理される前記映像信号に基づいて３Ｄ映像を表示するディスプレイ部と、
前記３Ｄ眼鏡の動作モードに関するユーザの入力を受信するユーザ入力部と、
前記３Ｄ眼鏡の前記左眼シャッター部及び前記右眼シャッター部を前記左眼映像及び前記右眼映像にそれぞれ対応して開閉させるための同期信号を出力する同期信号出力部と、
前記受信したユーザの入力に基づく前記３Ｄ眼鏡の動作モードに対応する前記同期信号を出力するように前記同期信号出力部を制御する制御部と、
を含むディスプレイ装置。
【請求項２】
前記制御部は、前記ユーザが前記３Ｄ眼鏡の動作モードを選択できるように、少なくとも一つの動作モードに関する情報をディスプレイさせることを特徴とする、請求項１に記載のディスプレイ装置。
【請求項３】
前記３Ｄ眼鏡の動作モードに関する情報は、前記３Ｄ眼鏡のモデル名を含むことを特徴とする、請求項２に記載のディスプレイ装置。
【請求項４】
前記制御部は、前記３Ｄ眼鏡の動作モードに対応して前記同期信号の周波数を変換させることを特徴とする、請求項１に記載のディスプレイ装置。
【請求項５】
前記制御部は、前記３Ｄ眼鏡の動作モードに対応して前記同期信号の波長を変換させることを特徴とする、請求項１に記載のディスプレイ装置。
【請求項６】
前記同期信号出力部は、異なる複数の同期信号をそれぞれ出力する複数のエミッターを含むことを特徴とする、請求項１に記載のディスプレイ装置。
【請求項７】
前記同期信号出力部は、異なる複数の同期信号のいずれかを選択して出力する一つのエミッターを含むことを特徴とする、請求項１に記載のディスプレイ装置。
【請求項８】
前記複数の同期信号は、周波数及び波長のうち少なくとも一つが異なることを特徴とする、請求項６または７に記載のディスプレイ装置。
【請求項９】
左眼シャッター部及び右眼シャッター部を含むシャッター方式の３Ｄ眼鏡を用いるディスプレイ装置の駆動方法であって、
入力される左眼映像及び右眼映像を含む映像信号を処理する段階と、
前記３Ｄ眼鏡の動作モードに関するユーザの入力を受信する段階と、
前記３Ｄ眼鏡の前記左眼シャッター部及び前記右眼シャッター部を前記左眼映像及び前記右眼映像にそれぞれ対応して開閉させるために、前記受信したユーザの入力に基づく前記３Ｄ眼鏡の動作モードに対応する同期信号を出力する段階と、
を含むディスプレイ装置の駆動方法。
【請求項１０】
前記ユーザの入力を受信する段階は、前記ユーザが前記３Ｄ眼鏡の動作モードを選択するように、少なくとも一つの動作モードに関する情報をディスプレイする段階を含むことを特徴とする、請求項９に記載のディスプレイ装置の駆動方法。
【請求項１１】
前記同期信号を出力する段階は、前記３Ｄ眼鏡の動作モードに対応して前記同期信号の周波数を変換する段階を含むことを特徴とする、請求項９に記載のディスプレイ装置の駆動方法。
【請求項１２】
前記同期信号を出力する段階は、前記３Ｄ眼鏡の動作モードに対応して前記同期信号の波長を変換する段階を含むことを特徴とする、請求項９に記載のディスプレイ装置の駆動方法。
【請求項１３】
前記同期信号を出力する段階は、異なる複数の同期信号をそれぞれ出力する複数のエミッターから前記同期信号を出力することを特徴とする、請求項９に記載のディスプレイ装置の駆動方法。
【請求項１４】
前記同期信号を出力する段階は、異なる複数の同期信号のいずれかを選択して出力する一つのエミッターから前記同期信号を出力することを特徴とする、請求項９に記載のディスプレイ装置の駆動方法。
【請求項１５】
前記複数の同期信号は、周波数及び波長のうち少なくとも一つが異なることを特徴とする、請求項１３または１４に記載のディスプレイ装置の駆動方法。
【発明の詳細な説明】
【技術分野】
【０００１】
本発明は、ディスプレイ装置及びその駆動方法に係り、より詳細には、３Ｄ眼鏡に対応する同期信号を出力することができるディスプレイ装置及びその駆動方法に関するものである。
【背景技術】
【０００２】
ＴＶなどのようなディスプレイ装置により表示される３Ｄ映像は、一般に、近距離で立体感を感じさせる最大の要因である両眼視差（binocular  parallax）を用いて、物体の立体感を表現する。
【０００３】
３Ｄ映像は、シャッター方式の３Ｄ眼鏡を介して見ることができる。すなわち、ディスプレイ装置から３Ｄ眼鏡に同期信号を転送すると、３Ｄ眼鏡では、同期信号に基づいて、左眼映像及び右眼映像がディスプレイされる時点に３Ｄ眼鏡の左シャッター部及び右シャッター部がそれぞれ開閉される。
【０００４】
ところが、３Ｄ眼鏡は、特定周波数または特定波長の同期信号でのみ動作可能であり、したがって、ディスプレイ装置で同期信号の周波数を変更する等して同期信号の転送方式が変更される場合、ディスプレイ装置及び３Ｄ眼鏡間には互換性がないため、ユーザは、既存の３Ｄ眼鏡を続けて使用できないという問題があった。
【発明の概要】
【発明が解決しようとする課題】
【０００５】
したがって、本発明の目的は、同期信号の転送方式が変更される場合にも、ユーザーが所望の３Ｄ眼鏡を使用できるように、３Ｄ眼鏡の動作モードに対応する同期信号を出力することができるディスプレイ装置及びその駆動方法を提供することにある。
【課題を解決するための手段】
【０００６】
上記の目的は、左眼シャッター部及び右眼シャッター部を含むシャッター方式の３Ｄ眼鏡を用いるディスプレイ装置において、左眼映像及び右眼映像を含む映像信号を受信する信号受信部と、前記信号受信部に受信される映像信号を処理する信号処理部と、前記信号処理部により処理される前記映像信号に基づいて３Ｄ映像を表示するディスプレイ部と、前記３Ｄ眼鏡の動作モードに関するユーザの入力を受信するユーザ入力部と、前記３Ｄ眼鏡の前記左眼シャッター部及び前記右眼シャッター部を前記左眼映像及び前記右眼映像にそれぞれ対応して開閉させるための同期信号を出力する同期信号出力部と、前記受信したユーザの入力に基づく前記３Ｄ眼鏡の動作モードに対応する前記同期信号を出力するように前記同期信号出力部を制御する制御部と、を含むディスプレイ装置によって達成することができる。
【０００７】
ここで、前記制御部は、前記ユーザが前記３Ｄ眼鏡の動作モードを選択できるように、少なくとも一つの動作モードに関する情報をディスプレイさせることができる。
【０００８】
また、前記３Ｄ眼鏡の動作モードに関する情報は、前記３Ｄ眼鏡のモデル名を含むことができる。
【０００９】
また、前記制御部は、前記３Ｄ眼鏡の動作モードに対応して、前記同期信号の周波数を変換させるか、前記同期信号の波長を変換させることができる。
【００１０】
また、前記同期信号出力部は、異なる複数の同期信号をそれぞれ出力する複数のエミッターを含むことができる。また、同期信号出力部は、異なる複数の同期信号のいずれかを選択して出力する一つのエミッターを含むことができる。
【００１１】
また、複数の同期信号は、周波数及び波長のうち少なくとも一つが異なることを特徴とする。
【００１２】
一方、上記目的は、左眼シャッター部及び右眼シャッター部を含むシャッター方式の３Ｄ眼鏡を用いるディスプレイ装置の駆動方法において、入力される左眼映像及び右眼映像を含む映像信号を処理する段階と、前記３Ｄ眼鏡の動作モードに関するユーザの入力を受信する段階と、前記３Ｄ眼鏡の前記左眼シャッター部及び前記右眼シャッター部を前記左眼映像及び前記右眼映像にそれぞれ対応して開閉させるために、前記受信したユーザの入力に基づく前記３Ｄ眼鏡の動作モードに対応する同期信号を出力する段階と、を含むディスプレイ装置の駆動方法によって達成することができる。
【００１３】
ここで、ユーザの入力を受信する段階は、前記ユーザが前記３Ｄ眼鏡の動作モードを選択するように、少なくとも一つの動作モードに関する情報をディスプレイする段階を含むことができる。
【００１４】
また、同期信号を出力する段階は、前記３Ｄ眼鏡の動作モードに対応して前記同期信号の周波数を変換する段階を含むことができる。また、同期信号を出力する段階は、前記３Ｄ眼鏡の動作モードに対応して前記同期信号の波長を変換する段階を含むことができる。また、同期信号を出力する段階は、異なる複数の同期信号をそれぞれ出力する複数のエミッターから前記同期信号を出力することができる。
【００１５】
また、同期信号を出力する段階は、異なる複数の同期信号のいずれかを選択して出力する一つのエミッターから、前記同期信号を出力することができる。
【００１６】
また、複数の同期信号は、周波数及び波長のうち少なくとも一つが異なることを特徴とする。
【発明の効果】
【００１７】
以上の如く、本発明によれば、ディスプレイ装置で同期信号の転送方式を変更する場合にも、３Ｄ眼鏡の動作モードに対応する同期信号を出力できるので、ユーザは、既存の３Ｄ眼鏡を続けて使用することができる。
【００１８】
また、ユーザが３Ｄ眼鏡を交替する場合にも、既存のディスプレイ装置でディスプレイされる３Ｄ映像を見ることができる。
【図面の簡単な説明】
【００１９】
【図１】本発明の一実施例によるディスプレイ装置の構成を示す図である。
【図２】本発明の一実施例によるディスプレイ装置でディスプレイされる３Ｄ眼鏡の動作モードに関する情報を示す図である。
【図３】本発明の一実施例によるディスプレイ装置から出力する同期信号の周波数が変更される様子を示す図である。
【図４】本発明の一実施例によるディスプレイ装置から出力する同期信号の波長が変更される様子を示す図である。
【図５】本発明の一実施例によるディスプレイ装置の動作を示すフローチャートである。
【発明を実施するための形態】
【００２０】
以下、添付の図面を参照しつつ、本発明の好適な実施例について、本発明の属する技術分野における通常の知識を有する者が容易に実施できるように詳細に説明する。本発明は、様々な形態で具現することができ、ここに説明される実施例に限定されない。本発明を明確に説明するために、関連する周知の部分については適宜説明を省略し、明細書全体を通じて同一または類似の構成要素には同一の参照符号を付ける。
【００２１】
図１は、本発明の一実施例によるディスプレイ装置１０の構成を示す図である。図１を参照すると、本実施例によるディスプレイ装置１０は、信号受信部１００、信号処理部１１０、ディスプレイ部１２０、同期信号出力部１３０、制御部１４０及びユーザ入力部１５０を含む。
【００２２】
信号受信部１００は、左眼映像及び右眼映像を含む映像信号を受信する。また、信号受信部１００に受信される映像信号は、ＤＴＶ信号、ケーブル放送信号などの放送信号を含む。この場合、信号受信部１００は、制御部１４０の制御によって、ユーザが選択したチャネルの放送信号をチューニングして受信することができる。また、信号受信部１００に受信される映像信号は、ＤＶＤ、ＢＤなどのような映像機器から出力される信号を含むこともできる。さらに、図示してはいないが、信号受信部１００は、音声出力のための音声信号、データ情報の出力のためのデータ信号などを受信することができる。本実施例の映像信号、音声信号及びデータ信号は、一つの放送信号を通じて一緒に受信することができる。
【００２３】
信号処理部１１０は、受信した左眼映像及び右眼映像を含む映像信号に対して、ディスプレイ部１２０に３Ｄ映像としてディスプレイされるように所定の信号処理を行う。信号処理部１１０により行われる信号処理は、映像信号に関するデコーディング、イメージエンハンシング、スケーリングなどを含む。また、信号処理部１１０は、信号受信部１００を通じて受信する放送信号から、映像信号、音声信号及びデータ信号をそれぞれ分離するデマルチプレクシングなどをはじめとして、音声信号及びデータ信号に対するデコーディング処理なども行うことができる。この場合、ディスプレイ装置１０は、信号処理部１１０により処理された音声信号に基づく音声を出力できるスピーカーのような音声出力部（図示せず）をさらに含むことができる。
【００２４】
ディスプレイ部１２０は、信号処理部１１０により処理された映像信号に基づいて映像をディスプレイする。ディスプレイ部１２０が映像を表示する方式は、例えば、ＬＣＤ方式を含むことができる。この場合、ディスプレイ部１２０は、図示してはいないが、ＬＣＤパネル、パネル駆動部、バックライトなどを含むことができる。バックライトは、ＬＥＤのような光源を含むことができる。ディスプレイ部１２０は、信号処理部１１０により処理されたデータ信号に含まれたデータ情報を表示することができる。
【００２５】
同期信号出力部１３０は、３Ｄ眼鏡２０の左眼シャッター部２２及び右眼シャッター部２４を左眼映像及び右眼映像にそれぞれ対応して開閉させるための同期信号を出力する。同期信号出力部１３０は、制御部１４０の制御によって同期信号を出力し、同期信号を赤外線信号として出力するエミッターを含むことができる。エミッターはＬＥＤを含むことができ、ＬＥＤは、発光ダイオードであって、特定の波長を有する光を発生させる。
【００２６】
一方、同期信号出力部１３０は、複数のエミッターを含むことができる。各エミッターは、特定の同期信号を出力し、複数のエミッターから出力される同期信号は、それぞれ異なる周波数または波長を有する。また、同期信号出力部１３０は、それぞれ異なる周波数または波長を有する複数の同期信号を選択して出力する一つのエミッターを含むこともできる。
【００２７】
ユーザ入力部１５０は、３Ｄ眼鏡２０の動作モードに関するユーザの入力を受信する。３Ｄ眼鏡２０は、それぞれ異なる動作モードを有することができる。したがって、ディスプレイ装置１０は、ユーザが３Ｄ眼鏡２０の動作モードを選択すると、選択された３Ｄ眼鏡２０に対応する同期信号を出力する。ここで、「３Ｄ眼鏡２０が、それぞれ異なる動作モードを有する」ということは、３Ｄ眼鏡２０が動作する信号の周波数または波長が、３Ｄ眼鏡２０ごとに異なるということを意味する。
【００２８】
制御部１４０は、信号処理部１１０を含め、ディスプレイ装置１０の構成全般を制御する。また、制御部１４０は、ユーザが３Ｄ眼鏡２０の動作モードを選択すると、選択した３Ｄ眼鏡２０の動作モードに対応する同期信号を出力するように同期信号出力部１３０を制御する。また、制御部１４０は、ユーザが３Ｄ眼鏡２０の動作モードを容易に選択できるように、３Ｄ眼鏡２０の動作モードに関する情報をディスプレイさせることができる。３Ｄ眼鏡２０の動作モードに関する情報は、３Ｄ眼鏡２０のモデル名、動作信号の周波数、波長などを含むことができる。３Ｄ眼鏡２０が複数個ある場合には、各３Ｄ眼鏡２０の動作モードに関する情報をディスプレイさせる。
【００２９】
図２は、本発明の一実施例によるディスプレイ装置１０でディスプレイされる３Ｄ眼鏡２０の動作モードに関する情報を示す図である。
【００３０】
図２では、ユーザの便宜のために、ユーザが使用する３Ｄ眼鏡２０のモデル名をディスプレイする例を示している。ユーザが３Ｄ眼鏡２０のモデル名、すなわち、ＭＯＤＥＬ  Ａ（２００）、ＭＯＤＥＬ  Ｂ（２１０）、ＭＯＤＥＬ  Ｃ（２２０）から特定の３Ｄ眼鏡２０を選択すると、制御部１４０は、選択された３Ｄ眼鏡２０に対応する同期信号を出力させる。ここで、３Ｄ眼鏡２０のモデル名の他に、３Ｄ眼鏡２０の動作信号の周波数または波長をディスプレイさせることもできる。また、ディスプレイされたモデル名がない場合には、３Ｄ眼鏡２０の動作信号の周波数または波長を選択できるようにするか、または、ユーザが動作信号の周波数または波長を直接入力できるようにすることもできる。
【００３１】
図３は、本発明の一実施例によるディスプレイ装置１０から出力する同期信号の周波数が変更される様子を示す図である。
【００３２】
ディスプレイ装置１０及び３Ｄ眼鏡２０の動作過程について説明すると、ディスプレイ装置１０は、左眼映像及び右眼映像を交互に高速でディスプレイし、左眼映像及び右眼映像と同期するようにシャッター方式の３Ｄ眼鏡２０を開閉させることによって３Ｄ映像を具現する。すなわち、ディスプレイ装置１０の左眼映像が画面にディスプレイされる時には、３Ｄ眼鏡２０の左眼シャッター２２は開き、右眼シャッター２４は閉じる。また、ディスプレイ装置１０の右眼映像がディスプレイされる時には、３Ｄ眼鏡２０の右眼シャッター２４は開き、左眼シャッター２２は閉じる。
【００３３】
図３で、I  ３００は、６０［Ｈｚ］でディスプレイ装置１０及び３Ｄ眼鏡２０が動作する場合であり、II  ３１０は、１２０［Ｈｚ］でディスプレイ装置１０及び３Ｄ眼鏡２０が動作する場合である。ディスプレイ装置１０で左眼映像または右眼映像がディスプレイされる時点に同期信号はハイ（HIGH）信号として発生し、この時、３Ｄ眼鏡２０の左眼シャッター部２２または右眼シャッター部２４は開閉される。
【００３４】
ディスプレイ装置１０が６０［Ｈｚ］で動作するところで駆動周波数が１２０［Ｈｚ］にが変換され、同期信号出力部１３０で同期信号の周波数を変更して出力すると、１２０［Ｈｚ］で動作する３Ｄ眼鏡２０では鮮明な映像をユーザに提供できるが、６０［Ｈｚ］で動作する３Ｄ眼鏡２０では鮮明な映像を提供し難い。そこで、制御部１４０は、３Ｄ眼鏡２０の駆動周波数に対応する同期信号を出力するように同期信号出力部１３０を制御する。例えば、同期信号出力部１３０が６０［Ｈｚ］、１２０［Ｈｚ］の同期信号をそれぞれ出力できる複数のエミッターを含み、制御部１４０は、ユーザが３Ｄ眼鏡２０の動作モードを選択すると、選択された３Ｄ眼鏡２０に対応する同期信号を出力するように制御する。または、一つのエミッターで周波数変換などによって、選択された３Ｄ眼鏡２０に対応する同期信号を出力するように制御することもできる。
【００３５】
図４は、本発明の一実施例によるディスプレイ装置１０から出力する同期信号の波長が変更される様子を示す図である。
【００３６】
I  ４００は、同期信号の中心波長がλ１［Ｍ］の場合であり、II  ４１０は、同期信号の中心波長がλ２［Ｍ］の場合である。同期信号出力部１３０に含まれたＬＥＤは、中心波長が特定範囲にある光を発生させる。したがって、同期信号出力部１３０は、出力される同期信号の波長を変更することができる。
【００３７】
一方、３Ｄ眼鏡２０は、同期信号の中心波長が特定範囲にある場合に動作可能であり、特定範囲は、３Ｄ眼鏡２０ごとに異なっている。したがって、同期信号出力部１３０から出力された光の中心波長が変更される場合、ユーザの使用する３Ｄ眼鏡２０が、出力された光の中心波長で動作できないものであれば鮮明な映像を提供し難い。これを防止するために、制御部１４０は、３Ｄ眼鏡２０が動作する動作波長に対応する同期信号を出力するように同期信号出力部１３０を制御する。例えば、同期信号出力部１３０がλ１［Ｍ］、λ２［Ｍ］の同期信号をそれぞれ出力できる複数のエミッターを含み、制御部１４０は、ユーザが３Ｄ眼鏡２０の動作モードを選択すると、選択された３Ｄ眼鏡２０に対応する同期信号を出力するように制御する。または、一つのエミッターで波長変換などによって、選択された３Ｄ眼鏡２０に対応する同期信号を出力するように制御することもできる。
【００３８】
図５は、本発明の一実施例によるディスプレイ装置１０の動作を示すフローチャートである。
【００３９】
信号受信部１００に左眼映像及び右眼映像を含む映像信号が受信されると、信号処理部１１０は、受信された映像信号がディスプレイされうるように処理する（５００）。また、制御部１４０は、３Ｄ眼鏡２０の動作モードに関する情報をディスプレイさせ、ユーザの選択した３Ｄ眼鏡２０の動作モードに関する情報を受信する（５１０）。その後、３Ｄ眼鏡２０の左眼シャッター部２２及び右眼シャッター部２４を左眼映像及び右眼映像にそれぞれ対応して開閉させるために、受信したユーザの入力に基づく３Ｄ眼鏡２０の動作モードに対応する同期信号を出力させる（５２０）。
【００４０】
以上では具体的な実施例及び図面に挙げて本発明を説明してきたが、本発明の属する技術分野における通常の知識を有する当業者にとっては、本発明の原則や精神を逸脱しない限度内で、様々な変形実施が可能であるということは明らかである。したがって、本発明の範囲は、添付の請求項とその均等物により定められるべきである。
【図１】
2011182382.tif 000003
【図２】
2011182382.tif 000004
【図３】
2011182382.tif 000005
【図４】
2011182382.tif 000006
【図５】
2011182382.tif 000007